【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
ワイヤレス通信サービスのためのアクセスポイントによって動作可能な方法であって、前記方法は、
前記アクセスポイントが少なくとも１つの非ホワイトスペース（非ＷＳ）帯域幅を使用した基地局として動作するための構成パラメータをコアネットワークエンティティから受信することと、前記構成パラメータは、前記ワイヤレス通信サービスを利用するように前記アクセスポイントによって使用され得る１つまたは複数の帯域幅のセットを含む、
前記１つまたは複数の帯域幅のセットが、前記アクセスポイントが前記ワイヤレス通信サービスのためにホワイトスペース（ＷＳ）を使用するための少なくとも第１のＷＳ帯域幅を含むかどうかを判断することと、
前記１つまたは複数の帯域幅のセットが少なくとも前記第１のＷＳ帯域幅を含むという判断に応答して、前記第１のＷＳ帯域幅を使用して前記ＷＳ中で動作するための許可情報を求める要求をＷＳデータベースに送信することと
を備え、前記要求は前記第１のホワイトスペース帯域幅を含む、方法。
【請求項２】
前記許可情報を求める前記要求が、マスタＷＳデバイス（ＷＳＤ）として動作することを要求することを備える、請求項１に記載の方法。
【請求項３】
前記許可情報を求める前記要求が、スレーブＷＳデバイス（ＷＳＤ）として動作することを要求することを備える、請求項１に記載の方法。
【請求項４】
前記構成パラメータが、バックホール接続性またはアクセス接続性のために前記ＷＳを使用するための指示をさらに備える、請求項１に記載の方法。
【請求項５】
許可情報を求める前記要求が、前記バックホール接続性のために前記ＷＳを使用するための前記指示に応答して、スレーブＷＳデバイス（ＷＳＤ）として動作することを要求することを備える、請求項４に記載の方法。
【請求項６】
前記許可情報を求める前記要求が、前記アクセス接続性のために前記ＷＳを使用するための前記指示に応答して、マスタＷＳデバイス（ＷＳＤ）として動作することを要求することを備える、請求項４に記載の方法。
【請求項７】
前記ＷＳの使用のためにスレーブＷＳＤとして動作するように別のアクセスポイントを許可することをさらに備える、請求項１に記載の方法。
【請求項８】
前記第１のＷＳ帯域幅上でバックホール接続性を確立することをさらに備える、請求項５に記載の方法。
【請求項９】
ワイヤレス通信サービスのためのアクセスポイントであって、前記アクセスポイントは、
前記アクセスポイントが少なくとも１つの非ホワイトスペース（非ＷＳ）帯域幅を使用して基地局として動作するための構成パラメータをコアネットワークエンティティから受信するための手段と、前記構成パラメータは、前記ワイヤレス通信サービスを利用するように前記アクセスポイントによって使用され得る１つまたは複数の帯域幅のセットを含む、
前記１つまたは複数の帯域幅のセットが、前記アクセスポイントが前記ワイヤレス通信サービスのためにホワイトスペース（ＷＳ）を使用するための少なくとも第１のＷＳ帯域幅を含むかどうかを判断するための手段と、
前記１つまたは複数の帯域幅のセットが少なくとも前記第１のＷＳ帯域幅を含むという判断に応答して、前記第１のＷＳを使用して前記ＷＳ中で動作するための許可情報を求める要求をＷＳデータベースに送信するための手段と
を備え、前記要求は前記第１のホワイトスペース帯域幅を含む、アクセスポイント。
【請求項１０】
ワイヤレス通信サービスのためのアクセスポイントであって、前記アクセスポイントは、
前記アクセスポイントが少なくとも１つの非ホワイトスペース（非ＷＳ）帯域幅を使用して基地局として動作するための構成パラメータをコアネットワークエンティティから受信することと、前記構成パラメータは、前記ワイヤレス通信サービスを利用するように前記アクセスポイントによって使用され得る１つまたは複数の帯域幅のセットを含む、
前記１つまたは複数の帯域幅のセットが、前記アクセスポイントが前記ワイヤレス通信サービスのためにホワイトスペース（ＷＳ）を使用するための少なくとも第１のＷＳ帯域幅を含むかどうかを判断することと、
前記１つまたは複数の帯域幅のセットが少なくとも前記第１のＷＳ帯域幅を含むという判断に応答して、前記第１のＷＳ帯域幅を使用して前記ＷＳ中で動作するための許可情報を求める要求をＷＳデータベースに送信することと、前記要求は前記第１のホワイトスペース帯域幅を含む、
を行うように構成された少なくとも１つのプロセッサと、
前記少なくとも１つのプロセッサに結合された、データを記憶するためのメモリと
を備える、アクセスポイント。
【請求項１１】
前記プロセッサが、マスタＷＳデバイス（ＷＳＤ）として動作することを要求するようにさらに構成された、請求項１０に記載のアクセスポイント。
【請求項１２】
前記プロセッサが、スレーブＷＳデバイス（ＷＳＤ）として動作することを要求するようにさらに構成された、請求項１０に記載のアクセスポイント。
【請求項１３】
前記構成パラメータが、バックホール接続性またはアクセス接続性のために前記ＷＳを使用するための指示を備える、請求項１０に記載のアクセスポイント。
【請求項１４】
前記プロセッサが、前記バックホール接続性のために前記ＷＳを使用するための前記指示に応答して、スレーブＷＳデバイス（ＷＳＤ）として動作することを要求するようにさらに構成された、請求項１３に記載のアクセスポイント。
【請求項１５】
前記プロセッサが、前記アクセス接続性のために前記ＷＳを使用するための前記指示に応答して、マスタＷＳデバイス（ＷＳＤ）として動作することを要求するようにさらに構成された、請求項１３に記載のアクセスポイント。
【請求項１６】
前記プロセッサが、前記ＷＳの使用のためにスレーブＷＳＤとして動作するように別のアクセスポイントを許可するようにさらに構成された、請求項１０に記載のアクセスポイント。
【請求項１７】
前記プロセッサが、前記第１のＷＳ帯域幅上でバックホール接続性を確立するようにさらに構成された、請求項１０に記載のアクセスポイント。
【請求項１８】
アクセスポイントが少なくとも１つの非ホワイトスペース（非ＷＳ）帯域幅を使用して基地局として動作するための構成パラメータをコアネットワークエンティティから受信することと、前記構成パラメータは、ワイヤレス通信サービスを利用するように前記アクセスポイントによって使用され得る１つまたは複数の帯域幅のセットを含む、
前記１つまたは複数の帯域幅のセットが、前記アクセスポイントが前記ワイヤレス通信サービスのためにホワイトスペース（ＷＳ）を使用するための少なくとも第１のＷＳ帯域幅を含むかどうかを判断することと、
前記１つまたは複数の帯域幅のセットが少なくとも前記第１のＷＳ帯域幅を含むという判断に応答して、前記第１のＷＳ帯域幅を使用して前記ＷＳ中で動作するための許可情報を求める要求をＷＳデータベースに送信することと、前記要求は前記第１のホワイトスペース帯域幅を含む、
を、前記ワイヤレス通信サービスのための前記アクセスポイントに行わせるためのコードを備える非一時的なコンピュータ可読媒体
を備える、コンピュータプログラム製品。
【手続補正２】
【補正対象書類名】明細書
【補正対象項目名】０１３５
【補正方法】変更
【補正の内容】
【０１３５】
[00159]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
ワイヤレス通信サービスのためのアクセスポイントによって動作可能な方法であって、前記方法は、
少なくとも１つの非ホワイトスペース（非ＷＳ）帯域幅を使用した基地局としての動作のための構成パラメータをコアネットワークエンティティから受信することと、
前記受信された構成パラメータが、前記アクセスポイントが前記サービスのためにホワイトスペース（ＷＳ）を使用するための指示を備えるかどうかを判断することと、
前記受信されたパラメータが前記指示を備えることに応答して、前記ＷＳ中で動作するための許可情報をＷＳデータベースに要求することと
を備える、方法。
［Ｃ２］
前記許可情報を要求することが、マスタＷＳデバイス（ＷＳＤ）として動作することを要求することを備える、Ｃ１に記載の方法。
［Ｃ３］
前記許可情報を要求することが、スレーブＷＳデバイス（ＷＳＤ）として動作することを要求することを備える、Ｃ１に記載の方法。
［Ｃ４］
前記構成パラメータが、バックホール接続性またはアクセス接続性のためにホワイトスペースを使用するための指示をさらに備える、Ｃ１に記載の方法。
［Ｃ５］
前記許可情報を要求することが、前記バックホール接続性のためにホワイトスペースを使用するための前記指示に応答して、スレーブＷＳデバイス（ＷＳＤ）として動作することを要求することを備える、Ｃ４に記載の方法。
［Ｃ６］
前記許可情報を要求することが、前記アクセス接続性のためにホワイトスペースを使用するための前記指示に応答して、マスタＷＳデバイス（ＷＳＤ）として動作することを要求することを備える、Ｃ４に記載の方法。
［Ｃ７］
前記ＷＳの使用のためにスレーブＷＳＤを許可することをさらに備える、Ｃ１に記載の方法。
［Ｃ８］
前記構成パラメータと前記許可情報とのうちの少なくとも１つに基づいてＷＳチャネルを選択することをさらに備える、Ｃ１に記載の方法。
［Ｃ９］
前記ＷＳチャネル上でバックホール接続性を確立することをさらに備える、Ｃ５に記載の方法。
［Ｃ１０］
前記指示は、前記アクセスポイントが前記ＷＳを使用すべきであることを示す情報要素（ＩＥ）を備える、Ｃ１に記載の方法。
［Ｃ１１］
前記指示が前記動作のための帯域のリストを備え、前記リストがＷＳ帯域を備える、Ｃ１に記載の方法。
［Ｃ１２］
ワイヤレス通信サービスのためのアクセスポイントであって、前記アクセスポイントは、
少なくとも１つの非ホワイトスペース（非ＷＳ）帯域幅を使用して基地局として動作するための構成パラメータをコアネットワークエンティティから受信するための手段と、
前記受信された構成パラメータが、前記アクセスポイントが前記サービスのためにホワイトスペース（ＷＳ）を使用するための指示を備えるかどうかを判断するための手段と、
前記受信されたパラメータが前記指示を備えることに応答して、前記ＷＳ中で動作するための許可情報をＷＳデータベースに要求するための手段と
を備える、アクセスポイント。
［Ｃ１３］
ワイヤレス通信サービスのためのアクセスポイントであって、前記アクセスポイントは、
少なくとも１つの非ホワイトスペース（非ＷＳ）帯域幅を使用して基地局として動作するための構成パラメータをコアネットワークエンティティから受信することと、前記受信された構成パラメータが、前記アクセスポイントが前記サービスのためにホワイトスペース（ＷＳ）を使用するための指示を備えるかどうかを判断することと、前記受信されたパラメータが前記指示を備えることに応答して、前記ＷＳ中で動作するための許可情報をＷＳデータベースに要求することとを行うように構成された少なくとも１つのプロセッサと、
前記少なくとも１つのプロセッサに結合された、データを記憶するためのメモリと
を備える、アクセスポイント。
［Ｃ１４］
前記プロセッサが、マスタＷＳデバイス（ＷＳＤ）として動作することを要求することによって前記許可情報を要求するようにさらに構成された、Ｃ１３に記載のアクセスポイント。
［Ｃ１５］
前記プロセッサが、スレーブＷＳデバイス（ＷＳＤ）として動作することを要求することによって前記許可情報を要求するようにさらに構成された、Ｃ１３に記載のアクセスポイント。
［Ｃ１６］
前記プロセッサが、バックホール接続性またはアクセス接続性のためにホワイトスペースを使用するための指示を備える前記構成パラメータを処理するようにさらに構成された、Ｃ１３に記載のアクセスポイント。
［Ｃ１７］
前記プロセッサが、前記バックホール接続性のためにホワイトスペースを使用するための前記指示に応答して、スレーブＷＳデバイス（ＷＳＤ）として動作することを要求することによって前記許可情報を要求するようにさらに構成された、Ｃ１６に記載のアクセスポイント。
［Ｃ１８］
前記プロセッサが、前記アクセス接続性のためにホワイトスペースを使用するための前記指示に応答して、マスタＷＳデバイス（ＷＳＤ）として動作することを要求することによって前記許可情報を要求するようにさらに構成された、Ｃ１６に記載のアクセスポイント。
［Ｃ１９］
前記プロセッサが、前記ＷＳの使用のためにスレーブＷＳＤを許可するようにさらに構成された、Ｃ１３に記載のアクセスポイント。
［Ｃ２０］
前記プロセッサが、前記構成パラメータと前記許可情報とのうちの少なくとも１つに基づいてＷＳチャネルを選択するようにさらに構成された、Ｃ１３に記載のアクセスポイント。
［Ｃ２１］
前記プロセッサが、前記ＷＳチャネル上でバックホール接続性を確立するようにさらに構成された、Ｃ１７に記載のアクセスポイント。
［Ｃ２２］
前記プロセッサは、前記アクセスポイントが前記ＷＳを使用すべきであることを示す情報要素（ＩＥ）を備える前記指示を処理するようにさらに構成された、Ｃ１３に記載のアクセスポイント。
［Ｃ２３］
前記プロセッサが、前記動作のための帯域のリストを備える前記指示を処理するようにさらに構成され、前記リストがＷＳ帯域を備える、Ｃ１３に記載のアクセスポイント。
［Ｃ２４］
少なくとも１つの非ホワイトスペース（非ＷＳ）帯域幅を使用して基地局として動作するための構成パラメータをコアネットワークエンティティから受信することと、
前記受信された構成パラメータが、前記アクセスポイントが前記サービスのためにホワイトスペース（ＷＳ）を使用するための指示を備えるかどうかを判断することと、
前記受信されたパラメータが前記指示を備えることに応答して、前記ＷＳ中で動作するための許可情報をＷＳデータベースに要求することと
を、ワイヤレス通信サービスのためのアクセスポイントに行わせるためのコードを備えるコンピュータ可読媒体
を備える、コンピュータプログラム製品。